(57)【要約】      （修正有）【課題】コンパクトに収納することができる靴用ハンガーを提供する。【解決手段】靴用ハンガーＨ’は、水平方向に延在する水平部材１と、この水平部材１の長手方向に対して直交する方向であって、水平部材１に設けられた筒形状の軸受け部１１と、この軸受け部１１に支持された回動軸を有したフック２と、水平部材１に取り付けられ、水平部材１に垂直な一対の第１の脚部３１、３２と、この一対の第１の脚部３１、３２を連結する第１の連結部３３とを有し、足の甲の部分を覆うアッパー部を支持する門形状の第１の枠部３と、水平部材１に取り付けられ、水平部材１に垂直な一対の第２の脚部４１、４２と、この一対の第２の脚部４１、４２を連結する第２の連結部４３とを有し、足の踵の部分を覆う踵部を支持する門形状の第２の枠部４とを有したものである。【選択図】図１
0003198054.tif 000002
【実用新案登録請求の範囲】
【請求項１】
水平方向に延在する水平部材と、
この水平部材の長手方向に対して直交する方向であって、前記水平部材に設けられた筒形状の軸受け部と、
この軸受け部に支持された回動軸を有したフックと、
前記水平部材に取り付けられ、前記水平部材に垂直な一対の第１の脚部と、この一対の第１の脚部を連結する第１の連結部とを有し、足の甲の部分を覆うアッパー部を支持する門形状の第１の枠部と、
前記水平部材に取り付けられ、前記水平部材に垂直な一対の第２の脚部と、この一対の第２の脚部を連結する第２の連結部とを有し、足の踵の部分を覆う踵部を支持する門形状の第２の枠部とを有し、
前記第２の連結部と前記水平部材との間隔寸法を前記第１の連結部と前記水平部材との間隔寸法より大とし、
一対の前記第２の脚部の前記水平部材への取り付け部位は、一対の前記第１の脚部の水平部材への取り付け部位の内側に位置し、
前記第１の枠部は、前記水平部材の長手方向を横断する方向に回動自在に取り付けられ、
前記第２の枠部は、前記水平部材の長手方向を横断する方向に回動自在に取り付けられ、
一対の前記第２の脚部の水平部材への取り付け部位の内側に前記軸受け部が位置している
ことを特徴とする靴用ハンガー。
【請求項２】
水平方向に延在する水平部材と、
この水平部材の長手方向に対して直交する方向であって、前記水平部材に設けられた筒形状の軸受け部と、
この軸受け部に支持された回動軸を有したフックと、
前記水平部材に取り付けられ、前記水平部材に垂直な一対の第１の脚部と、この一対の第１の脚部を連結する第１の連結部とを有し、足の甲の部分を覆うアッパー部を支持する門形状の第１の枠部と、
前記水平部材に取り付けられ、前記水平部材に垂直な一対の第２の脚部と、この一対の第２の脚部を連結する第２の連結部とを有し、足の踵の部分を覆う踵部を支持する門形状の第２の枠部とを有し、
前記第２の連結部と前記水平部材との間隔寸法を前記第１の連結部と前記水平部材との間隔寸法より大とし、
一対の前記第２の脚部の前記水平部材への取り付け部位は、一対の前記第１の脚部の水平部材への取り付け部位の外側に位置し、
前記第１の枠部は、前記水平部材の長手方向を横断する方向に回動自在に取り付けられ、
前記第２の枠部は、前記水平部材の長手方向を横断する方向に回動自在に取り付けられ、
一対の前記第１の脚部の水平部材への取り付け部位の内側に前記軸受け部が位置している
ことを特徴とする靴用ハンガー。
【請求項３】
足の甲の部分を覆うアッパー部を支持する一対の甲係止部材が第１の枠部の内側に突出するように設けられ、
足の踵の部分を覆う踵部を支持する一対の踵係止部材が第２の枠部の内側に突出するように設けられている
ことを特徴とする請求項１又は請求項２記載の靴用ハンガー。
【請求項４】
踵係止部材は、第２の枠部の内側に突出するように設けられ、Ｖ字状又はＵ字状又は半円状をなしている
ことを特徴とする請求項３記載の靴用ハンガー。
【請求項５】
第１の連結部の外側に突出すると共に、指で摘むことができる大きさの第１の摘み部が前記第１の連結部に設けられ、
第２の連結部の外側に突出すると共に、指で摘むことができる大きさの第２の摘み部が前記第２の連結部に設けられ、
前記第１の摘み部に爪先である旨の表示を、前記第２の摘み部に踵である旨の表示を、それぞれ表示している
ことを特徴とする請求項３記載の靴用ハンガー。
【考案の詳細な説明】
【技術分野】
【０００１】
本考案は、靴用ハンガーに係り、特に、コンパクトに収納することができる靴用ハンガーに関する。
【背景技術】
【０００２】
従来、靴干しハンガー靴は、甲部受け用アーム（Ａｔ）、靴の踵部受け用アーム（Ａｈ）、連結アーム（Ｃ）、ハンガー（Ｈ）とで構成され、ハンガー（Ｈ）は水平な連結アーム（Ｃ）に対して垂直方向に固定され、連結アーム（Ｃ）の一端が水平な甲部受け用アーム（Ａｔ）の中央部に固定され、連結アーム（Ｃ）の他端が水平な靴の踵部受け用アーム（Ａｈ）の中央部に固定されている（特許文献１  図１参照）。
そのため、靴干しハンガー靴の使用時の形態と不使用時の形態と同じであり、収納がコンパクトにならない。
これを改善するものとして、ハンガー（Ｈ）をハンガー角度固定ボルトＢｈ等で対応して、靴干しハンガー靴の不使用時、ハンガー（Ｈ）を連結アーム（Ｃ）に近づくように回動している（特許文献１  図４及び図５参照）。
【先行技術文献】
【特許文献】
【０００３】
【特許文献１】特開２０１２−１３９４４３号公報
【考案の概要】
【考案が解決しようとする課題】
【０００４】
しかしながら、特許文献１の図５に示すように、ハンガー（Ｈ）を連結アーム（Ｃ）に近づくように回動しても、ハンガー（Ｈ）のフックの形状は、連結アーム（Ｃ）の水平方向に対して、立設したままであるため、収納時、垂直方向に嵩張るという問題点があった。
【０００５】
本考案は、上記の問題点を考慮してなされた靴用ハンガーを提供することを目的とする。
【課題を解決するための手段】
【０００６】
請求項１記載の靴用ハンガーは、水平方向に延在する水平部材と、この水平部材の長手方向に対して直交する方向であって、前記水平部材に設けられた筒形状の軸受け部と、この軸受け部に支持された回動軸を有したフックと、前記水平部材に取り付けられ、前記水平部材に垂直な一対の第１の脚部と、この一対の第１の脚部を連結する第１の連結部とを有し、足の甲の部分を覆うアッパー部を支持する門形状の第１の枠部と、前記水平部材に取り付けられ、前記水平部材に垂直な一対の第２の脚部と、この一対の第２の脚部を連結する第２の連結部とを有し、足の踵の部分を覆う踵部を支持する門形状の第２の枠部とを有し、前記第２の連結部と前記水平部材との間隔寸法を前記第１の連結部と前記水平部材との間隔寸法より大とし、一対の前記第２の脚部の前記水平部材への取り付け部位は、一対の前記第１の脚部の水平部材への取り付け部位の内側に位置し、前記第１の枠部は、前記水平部材の長手方向を横断する方向に回動自在に取り付けられ、前記第２の枠部は、前記水平部材の長手方向を横断する方向に回動自在に取り付けられ、一対の前記第２の脚部の水平部材への取り付け部位の内側に前記軸受け部が位置しているものである。
【０００７】
また、請求項２記載の靴用ハンガーは、水平方向に延在する水平部材と、この水平部材の長手方向に対して直交する方向であって、前記水平部材に設けられた筒形状の軸受け部と、この軸受け部に支持された回動軸を有したフックと、前記水平部材に取り付けられ、前記水平部材に垂直な一対の第１の脚部と、この一対の第１の脚部を連結する第１の連結部とを有し、足の甲の部分を覆うアッパー部を支持する門形状の第１の枠部と、前記水平部材に取り付けられ、前記水平部材に垂直な一対の第２の脚部と、この一対の第２の脚部を連結する第２の連結部とを有し、足の踵の部分を覆う踵部を支持する門形状の第２の枠部とを有し、前記第２の連結部と前記水平部材との間隔寸法を前記第１の連結部と前記水平部材との間隔寸法より大とし、一対の前記第２の脚部の前記水平部材への取り付け部位は、一対の前記第１の脚部の水平部材への取り付け部位の外側に位置し、前記第１の枠部は、前記水平部材の長手方向を横断する方向に回動自在に取り付けられ、前記第２の枠部は、前記水平部材の長手方向を横断する方向に回動自在に取り付けられ、一対の前記第１の脚部の水平部材への取り付け部位の内側に前記軸受け部が位置しているものである。
【０００８】
また、請求項３記載の靴用ハンガーは、請求項１又は請求項２記載の靴用ハンガーにおいて、足の甲の部分を覆うアッパー部を支持する一対の甲係止部材が第１の枠部の内側に突出するように設けられ、足の踵の部分を覆う踵部を支持する一対の踵係止部材が第２の枠部の内側に突出するように設けられているものである。
【０００９】
また、請求項４記載の靴用ハンガーは、請求項３記載の靴用ハンガーにおいて、踵係止部材は、第２の枠部の内側に突出するように設けられ、Ｖ字状又はＵ字状又は半円状をなしているものである。
【００１０】
また、請求項５記載の靴用ハンガーは、請求項３記載の靴用ハンガーにおいて、第１の連結部の外側に突出すると共に、指で摘むことができる大きさの第１の摘み部が前記第１の連結部に設けられ、第２の連結部の外側に突出すると共に、指で摘むことができる大きさの第２の摘み部が前記第２の連結部に設けられ、前記第１の摘み部に爪先である旨の表示を、前記第２の摘み部に踵である旨の表示を、それぞれ表示しているものである。
【考案の効果】
【００１１】
請求項１記載の靴用ハンガーによれば、第１の枠部及び第２の枠部は水平部材の長手方向を横断する方向に回動自在であり、フックは、水平部材の長手方向に対して直交する方向であって、前記水平部材に設けられた筒形状の軸受け部に支持された回動軸を介して回動でき、一対の前記第２の脚部の水平部材への取り付け部位の内側に前記軸受け部が位置しているため、不使用時、正面視、フックを第１の枠部及び第２の枠部内に位置させ、また、側面視、フック、第１の枠部及び第２の枠部を略扁平状に、それぞれ位置させて、コンパクトに収納することができる。
【００１２】
また、請求項２記載の靴用ハンガーによれば、第１の枠部及び第２の枠部は水平部材の長手方向を横断する方向に回動自在であり、フックは、水平部材の長手方向に対して直交する方向であって、前記水平部材に設けられた筒形状の軸受け部に支持された回動軸を介して回動でき、一対の前記第２の脚部の水平部材への取り付け部位の内側に前記軸受け部が位置しているため、不使用時、正面視、フックを第１の枠部及び第２の枠部内に位置させ、また、側面視、フック、第１の枠部及び第２の枠部を略扁平状に、それぞれ位置させて、コンパクトに収納することができる。
【００１３】
また、請求項４記載の靴用ハンガーによれば、踵係止部材は、第２の枠部の内側に突出するように設けられ、Ｖ字状又はＵ字状又は半円状をなしているため、Ｖ字状又はＵ字状又は半円状の踵係止部材により、第２の枠部をブリッジ状に連結して、第２の枠部の強度アップを図ることができる。
【００１４】
また、請求項５記載の靴用ハンガーによれば、第１の連結部の外側に突出すると共に、指で摘むことができる大きさの第１の摘み部が前記第１の連結部に、
第２の連結部の外側に突出すると共に、指で摘むことができる大きさの第２の摘み部が前記第２の連結部に、それぞれ設けられているため、操作し易いと共に、第１の枠部及び第２の枠部の強度が向上し、破損が防止され、第１の摘み部に爪先である旨の表示を、第２の摘み部に踵である旨の表示を、それぞれ表示しているため、誤った靴の装着の防止を図って靴の装着を容易にすることができる。
【図面の簡単な説明】
【００１５】
【図１】図１は、本考案の一実施例の靴用ハンガーの概略的斜視図である。
【図２】図２は、図１の靴用ハンガーの一使用形態の概略的斜視図である。
【図３】図３は、図２の使用形態と異なる他の使用形態の概略的斜視図である。
【図４】図４は、図１の靴用ハンガーを畳んだ収納時の概略的正面図である。
【図５】図５は、図４の靴用ハンガーの概略的右側面図である。
【図６】図６は、図１の一部の概略的断面図である。
【実施例】
【００１６】
本考案の一実施例の靴用ハンガーを図面を参照して説明する。
図１乃至図５に示すＨ’は靴用ハンガーで、靴用ハンガーＨ’は、靴を下げ吊して乾かすことができるもので、特に、長靴、レインブーツ、ミドルカット、ハイカットのスニーカー等の足首部分の長い靴に好適である。
【００１７】
靴用ハンガーＨ’は、概略的に、水平部材１、フック２、第１の枠部３、第２の枠部４から構成されている。
【００１８】
水平部材１は、水平方向に延在し、中途に筒形状の軸受け部１１が設けられている。
筒形状の軸受け部１１は、水平部材１の長手方向に対して直交する方向に設けられている。
フック２は、上記軸受け部１１に支持された回動軸２１（図６参照）を有している。
【００１９】
第１の枠部３は、足の甲の部分を覆うアッパー部５（図２及び図３）を支持する門形状で、第１の枠部３は、水平部材１に取り付けられ、水平部材３に垂直な一対の第１の脚部３１、３２と、この一対の第１の脚部３１、３２を連結する第１の連結部３３とを有している。
そして、第１の枠部３は、水平部材１の長手方向を横断する方向に回動自在に取り付けられている。
また、３４、３５は、足の甲の部分を覆うアッパー部５を支持する一対の甲係止部材で、一対の甲係止部材３４、３５が第１の枠部３の内側に突出するように設けられている。
なお、一対の甲係止部材３４、３５を設けることが望ましいが、場合により、一対の甲係止部材３４、３５を省略することもできる。
また、第１の連結部材３の外側に突出すると共に、指で摘むことができる大きさの第１の摘み部３６が第１の連結部３に設けられ、第１の摘み部３６に爪先である旨の表示、例えば、「つまさき」の文字が付されている。これは、誤った靴の装着の防止を図って靴の装着を容易にするためである。
【００２０】
第２の枠部４は、足の踵の部分を覆う踵部６（図２及び図３）を支持する門形状で、
第２の枠部４は、水平部材１に取り付けられ、水平部材１に垂直な一対の第２の脚部４１、４２と、この一対の第２の脚部４１、４２を連結する第２の連結部４３とを有している。
そして、第２の枠部４は、水平部材１の長手方向を横断する方向に回動自在に取り付けられている。
また、４４、４５は、足の踵の部分を覆う踵部６を支持する一対の踵係止部材で、一対の踵係止部材４４、４５が第２の枠部４の内側に突出するように設けられている。
この踵係止部材４４（４５）は、Ｖ字状（又は図示しないが、Ｕ字状又は半円状でも良い。）をなして、第２の枠部４をブリッジ状に連結して、第２の枠部４の強度アップを図っている。
なお、一対の第２の脚部４１、４２を設けることが望ましいが、場合により、一対の第２の脚部４１、４２を省略することもできる。
また、第２の連結部４の外側に突出すると共に、指で摘むことができる大きさの第２の摘み部４６が第２の連結部４に設けられ、第２の摘み部４に踵である旨の表示、例えば、「かかと」の文字が付されている。これは、誤った靴の装着の防止を図って靴の装着を容易にするためである。
【００２１】
また、図４に示すように、第２の連結部４３と水平部材１との間隔寸法Ｈを第１の連結部３３と水平部材１との間隔寸法ｈ（Ｈ＞ｈ）より大であり、一対の第２の脚部４１、４２の水平部材１への取り付け部位Ａ、Ｂは、一対の第１の脚部３１、３２の水平部材１への取り付け部位Ｃ、Ｄの内側に位置し、一対の第２の脚部４１、４２の水平部材１への取り付け部位Ａ、Ｂの内側に軸受け部１１が位置している。
【００２２】
従って、上述した靴用ハンガーＨによれば、図２及び図３に示すように、物干し竿１０にフック２を介して靴用ハンガーＨを取り付け、その際、足の甲の部分を覆うアッパー部５を一対の甲係止部材３４、３５で（一対の甲係止部材３４、３５を省略した場合は、アッパー部５を第１の枠部３で）、足の踵の部分を覆う踵部６を一対の踵係止部材４４、４５で（一対の踵係止部材４４、４５を省略した場合は、踵部６を第２の枠部４で）、それぞれ支持して、靴を下げ吊して乾かすことができ、
また、第１の枠部３及び第２の枠部４は、水平部材１の長手方向を横断する方向に回動自在であり、フック２は、水平部材１の長手方向に対して直交する方向であって、水平部材１に設けられた筒形状の軸受け部１１に支持された回動軸２１を介して回動でき、 一対の第２の脚部４１，４２の水平部材１への取り付け部位Ａ、Ｂの内側に軸受け部１１が位置しているため、図４及び図５に示すように、不使用時、折り畳んで、正面視、フック２を第１の枠部３及び第２の枠部４内に位置させ、また、側面視、フック２、第１の枠部３及び第２の枠部４を略扁平状に、それぞれ位置させて、コンパクトに収納することができる。
【００２３】
なお、上述した実施例においては、第２の連結部４３と水平部材１との間隔寸法Ｈを第１の連結部３３と水平部材１との間隔寸法ｈ（Ｈ＞ｈ）より大であり、一対の第２の脚部４１、４２の水平部材１への取り付け部位Ａ、Ｂは、一対の第１の脚部３１、３２の水平部材１への取り付け部位Ｃ、Ｄの内側に位置し、一対の第２の脚部４１、４２の水平部材１への取り付け部位Ａ、Ｂの内側に軸受け部１１が位置するようにしたが、
図示しないが、一対の第２の脚部４１、４２の水平部材１への取り付け部位Ａ、Ｂを、上述とは逆に、一対の第１の脚部３１、３２の水平部材１への取り付け部位Ｃ、Ｄの外側に位置させ、一対の第１の脚部３１、３２の水平部材１への取り付け部位Ｃ、Ｄの内側に軸受け部１１を位置させるようにしても、上述した実施例と同様な効果を有する。
【符号の説明】
【００２４】
Ｈ’     靴用ハンガー
１       水平部材
２       フック
３       第１の枠部
４       第２の枠部
１１       軸受け部
２１       回動軸
３１       第１の脚部
３２       第１の脚部
３３       第１の連結部
４１       第２の脚部
４２       第２の脚部
４３       第２の連結部
【図１】
0003198054.tif 000003
【図２】
0003198054.tif 000004
【図３】
0003198054.tif 000005
【図４】
0003198054.tif 000006
【図５】
0003198054.tif 000007
【図６】
0003198054.tif 000008